(57)【要約】【課題】梁に下地木材を取り付ける必要がなく、梁と梁の間で吊り棒部を位置調整可能に垂下固定させることができる吊り支持具を提供する。【解決手段】吊り支持具１は、隣り合う梁９５の下側フランジ９５ａに掛け渡される横架材１１と、上記横架材１１の端部を上記下側フランジ９５ａに着脱可能に固定する端部固定具１２と、上記横架材１１に移動可能に装着されるとともに任意の位置で上記横架材１１に固定される吊り棒支持部１３と、上記吊り棒支持部１３に支持される吊り棒部１４と、を備える。上記横架材１１は、リップ溝型鋼からなり、開口側が下に向けられて配置されている。【選択図】図２
2015010390.tif 000002
【特許請求の範囲】
【請求項１】
隣り合う梁の下側フランジに掛け渡される横架材と、上記横架材の端部を上記下側フランジに着脱可能に固定する端部固定具と、上記横架材に移動可能に装着されるとともに任意の位置で上記横架材に固定される吊り棒支持部と、上記吊り棒支持部に支持される吊り棒部と、を備えたことを特徴とする吊り支持具。
【請求項２】
請求項１に記載の吊り支持具において、上記横架材はリップ溝型鋼から成り、開口を有する面が下に向けられて配置され、上記吊り棒支持部は上記横架材に外嵌される枠部を有しており、当該枠部の下側から上方にねじ込まれたボルトの先端が上記横架材の上記開口を通って当該横架材の裏面部に当接可能に設けられていることを特徴とする吊り支持具。
【請求項３】
請求項１または請求項２に記載の吊り支持具において、上記端部固定具は上記横架材に外嵌される枠部を有するとともに、この枠部には上記下側フランジの厚さよりも高さがある凹部が形成されていることを特徴とする吊り支持具。
【請求項４】
請求項３に記載の吊り支持具において、上記吊り棒支持部は上記端部固定具の凹部と同一の凹部が形成された共用品とされることを特徴とする吊り支持具。
【発明の詳細な説明】
【技術分野】
【０００１】
この発明は、キッチン吊り戸や天井扇などの重量物の吊り支持に用いられる吊り支持具に関する。
【背景技術】
【０００２】
キッチン吊り戸や天井扇などの重量物を天井から吊り支持する場合、天井板自体ではなく、天井裏に存在する梁（Ｈ型鋼）を利用して吊り下げることが行われる。従来においては、図７（Ａ）および図７（Ｂ）に示すように、隣り合う梁１０１の上下フランジ間に下地木材１０２を打ち叩いて固定し、この下地木材１０２に釘で支持木１０３を固定している。そして、上記支持木１０３に形成した縦貫通孔に吊り棒である全ネジボルト１０４を挿入し、上記支持木１０３の上面と下面に設けたナットを締めて上記全ネジボルト１０４を上記支持木１０３から垂下固定している。
【０００３】
また、特許文献１には、梁に取付けるための梁取付部と、該梁取付部から延出する延長部材と、該延長部材に連結された本体部と、を備えた天井吊金物であって、前記本体部は、前記梁と略平行な方向に延出し上下方向に対向して配置された一対の側壁と、該一対の側壁を連繋する連繋壁とを備え、前記一対の側壁の所定の位置には、前記側壁の内面よりも内側へ突出する弾性係合部が設けられた天井吊金物が開示されている。
【先行技術文献】
【特許文献】
【０００４】
【特許文献１】特許第４１８０４１９号
【発明の概要】
【発明が解決しようとする課題】
【０００５】
しかしながら、上記下地木材１０２を用いた従来の吊り支持構造では、上記下地木材１０２を打ち叩いて固定するなど、現場での作業負担が大きい。また、経年変化で上記下地木材１０２が痩せてがたつきが発生するおそれがある。さらに、キッチン吊り戸や天井扇などの吊り下げたい位置から上記全ネジボルト１０４がずれている場合には、上記作業をやり直す必要が生じる。
【０００６】
また、上記特許文献１に記載の天井吊金物では、上記梁１０１間において上記全ネジボルト１０４を適切に垂下させることはできない。
【０００７】
この発明は、上記の事情に鑑み、梁に下地木材を取り付ける必要がなく、梁と梁の間で吊り棒部を位置調整可能に垂下固定させることができる吊り支持具を提供することを課題とする。
【課題を解決するための手段】
【０００８】
この発明は、上記の課題を解決するために、隣り合う梁の下側フランジに掛け渡される横架材と、上記横架材の端部を上記下側フランジに着脱可能に固定する端部固定具と、上記横架材に移動可能に装着されるとともに任意の位置で上記横架材に固定される吊り棒支持部と、上記吊り棒支持部に支持される吊り棒部と、を備えたことを特徴とする。
【０００９】
上記の構成であれば、隣り合う梁の下側フランジに掛け渡される横架材の端部を下側フランジに着脱可能に固定する端部固定具を有するので、梁に下地木材を取り付けることなく、上記横架材を上記下側フランジに固定することができる。また、上記吊り棒部を上記吊り棒支持部によって上記横架材の任意の位置に垂下固定することができる。
【００１０】
上記横架材はリップ溝型鋼から成り、開口を有する面が下に向けられて配置され、上記吊り棒支持部は上記横架材に外嵌される枠部を有しており、当該枠部の下側から上方にねじ込まれたボルトの先端が上記横架材の上記開口を通って当該横架材の裏面部に当接可能に設けられていてもよい。一般的なリップ溝型鋼が上記横架材として用いられる構造であるので、低コスト化が図れることになる。また、開口を有する面が上向だと下方に荷重がかかったときに溝が閉じる方向に変形をしてしまうが、開口を有する面が下向きだとこのような変形は生じない。しかし下向きにすれば、溝が開く方向に変形する。そこで１３ｂのプレートで開くのを阻止している
【００１１】
上記端部固定具は上記横架材に外嵌される枠部を有するとともに、この枠部には上記下側フランジの厚さよりも高さがある凹部が形成されていてもよい。これによれば、上記凹部に上記下側フランジの縁が入り込んだ状態で確実な固定が行えるようになる。
【００１２】
上記吊り棒支持部は上記端部固定具の凹部と同一の凹部が形成された共用品とされていてもよく、これによれば、部品の共用化によるコスト低減が図れる。
【発明の効果】
【００１３】
本発明であれば、梁に下地木材を取り付ける必要がなく、梁と梁の間の任意の位置に吊り棒部を垂下固定させることができるという効果を奏する。
【図面の簡単な説明】
【００１４】
【図１】本発明の実施形態にかかる吊り支持具が用いられた重量物支持の構造が示された説明図である。
【図２】同図（Ａ）は図１に示された重量物支持の構造の概略の平面図であり、同図（Ｂ）は正面図である。
【図３】本発明の実施形態にかかる吊り支持具における端部固定具の正面図である。
【図４】図３の端部固定具を下フランジ部に装着した状態を示した図であって、同図（Ａ）は平面図、同図（Ｂ）は側面図である。
【図５】本発明の実施形態にかかる吊り支持具における吊り棒支持部を示した図であって、同図（Ａ）は平面図、同図（Ｂ）は正面図、同図（Ｃ）は側面図である。
【図６】図５の吊り棒支持部を横架材に装着した状態を示した図であって、同図（Ａ）は平面図、同図（Ｂ）は側面図である。
【図７】従来の吊り支持具が用いられた重量物支持の構造が示された説明図であって、同図（Ａ）は平面図、同図（Ｂ）は正面図である。
【発明を実施するための形態】
【００１５】
以下、この発明の実施の形態を添付図面に基づいて説明する。
図１、図２（Ａ）および図２（Ｂ）に示すように、例えば、キッチンに設けられるレンジフード９０の横位置に垂壁９１がこの発明の実施形態の吊り支持具１によって支持される。そして、上記垂壁９１に対面吊り戸収納棚９２が固定される。また、上記吊り支持具１は天井９３の裏に位置している梁（Ｈ型鋼）９５の下側フランジ９５ａに取り付けられている。上記吊り支持具１の吊り棒部１４は例えば全ネジボルトからなり、これに螺合されたナット９６によって支持される受け部９７が上記垂壁９１を支持する。また、上記天井９３は鋼製天井パネル等からなり、この鋼製天井パネル上に天井キッチン吊戸棚用下地やリビング側吊戸収納用下地などが設けられる。
【００１６】
上記吊り支持具１は、隣り合う梁９５の下側フランジ９５ａに掛け渡される横架材１１と、上記横架材１１の端部を上記下側フランジ９５ａに着脱可能に固定する端部固定具１２と、上記横架材１１に移動可能に装着されるとともに任意の位置で上記横架材１１に固定される吊り棒支持部１３と、上記吊り棒支持部１３に支持される吊り棒部１４と、を備える。上記横架材１１は、この実施形態ではリップ溝型鋼からなり、開口側が下に向けられて配置されている。
【００１７】
上記端部固定具１２は、例えば、図３に示すように、所定幅に切断されたリップ溝型鋼からなる本体枠部１２ａの開口側に板部１２ｂを有する。この板部１２ｂは上記本体枠部１２ａのリップ部にカシメ部材１２ｃによって固定されている。上記本体枠部１２ａの上板部裏面と上記板部１２ｂの上面との間の高さは、上記横架材１１の高さに上記下側フランジ９５ａの厚みを加算した高さよりも高い。
【００１８】
また、上記板部１２ｂの中央側には、図４（Ａ）にも示すように、上記横架材１１の延設方向に並んで２個の螺子孔１２ｄ，１２ｅが形成されている。上記螺子孔１２ｄには、下からボルト３が螺合されている。また、上記本体枠部１２ａには、図４（Ｂ）に示すように、上記螺子孔１２ｄの上方を越えて中央側に入り込むように切り欠かれた凹部１２ｆが形成されている。この凹部１２ｆの高さは上記下側フランジ９５ａの厚さよりも高い。上記端部固定具１２は、上記凹部１２ｆを上記下側フランジ９５ａに向けて上記横架材１１に外嵌されている。
【００１９】
上記下側フランジ９５ａに上記横架材１１の端部を載せた状態で上記端部固定具１２の上記凹部１２ｆを上記下側フランジ９５ａに差し込み、この状態で上記ボルト３を締めつけると、上記横架材１１が上記下側フランジ９５ａに固定される。そして、その後にナット４を締めつけて上記ボルト３をロックする。また、上記横架材１１の位置を梁９５の延設方向に調節するときには、上記ボルト３やナット４を緩め、位置調節後に再度締めつければよい。なお、上記端部固定具１２においては、上記螺子孔１２ｅは上記吊り棒支持部１３との共用化のために設けられており、不使用とされる。
【００２０】
上記吊り棒支持部１３は上記端部固定具１２と同様の構成を有する。上記吊り棒支持部１３は、図５（Ａ）、図５（Ｂ）および図５（Ｃ）に示すように、所定幅に切断されたリップ溝型鋼からなる本体枠部１３ａの開口側に板部１３ｂを有する。この板部１３ｂは上記本体枠部１３ａのリップ部にカシメ部材１３ｃによって固定されている。上記本体枠部１３ａの上板部裏面と上記板部１３ｂの上面との間の高さは、上記横架材１１の高さに上記下側フランジ９５ａの厚みを加算した高さよりも高い。なお、開口を有する面が上向だと下方に荷重がかかったときに溝が閉じる方向に変形をしてしまうが、開口を有する面が下向きだとこのような変形は生じない。しかし下向きにすれば、溝が開く方向に変形する。上記板部１３ｂを設けておくと、開く方向の変形を阻止できる。
【００２１】
また、上記板部１３ｂの中央側には、上記横架材１１の延設方向に並んで２個の螺子孔１３ｄ，１３ｅが形成されている。上記螺子孔１３ｄには、下からボルト５が螺合されている。このボルト５は上記本体枠部１３ａの高さよりも長い。また、上記本体枠部１３ａには上記螺子孔１３ｄの上方を越えて中央側に入り込むように切り欠かれた凹部１３ｆが形成されている。この凹部１３ｆの高さは上記下側フランジ９５ａの厚さよりも高い。上記吊り棒支持部１３においては、上記凹部１３ｆは上記端部固定具１２との共用化のために設けられているので、この凹部１３ｆの向きは問わない。
【００２２】
上記螺子孔１３ｅには、上記吊り棒部１４の上端部が螺合されている。そして、上記吊り棒部１４に螺合されているナット６を締めつけることで、上記吊り棒部１４を上記吊り棒支持部１３に固定することができる。なお、上記吊り棒部１４に設けられている受け金の端部には上向きに屈曲された食い込み部が形成されており、この食い込み部が垂壁に食い込むようになっている。
【００２３】
図６（Ａ）および図６（Ｂ）に示すように、上記吊り棒支持部１３は、上記横架材１１に移動可能に外嵌されている。そして、上記吊り棒支持部１３を適当な場所に位置させ、上記ボルト５をねじ込むと、その先端が上記横架材１１の上板部裏面に当たり、上記吊り棒支持部１３が上記横架材１１に固定される。この固定後には、ナット４を締めつけて上記ボルト５をロックする。また、上記吊り棒支持部１３の位置を上記横架材１１の延設方向に調節するときには、上記ボルト５やナット４を緩め、位置調節後に再度締めつければよい。
【００２４】
上記吊り支持具１であれば、隣り合う梁９５の下側フランジ９５ａに掛け渡される横架材１１の端部を下側フランジ９５ａに着脱可能に固定する端部固定具１２を有するので、梁９５に下地木材を取り付けることなく、上記横架材１１を上記下側フランジ９５ａに固定することができる。また、上記吊り棒支持部１３によって上記吊り棒部１４を上記横架材１１の任意の位置に垂下固定することができる。すなわち、上記吊り棒部１４の位置を、隣り合う梁９５間において上記横架材１１の横架方向および当該梁９５の延設方向に自在に調節することができる。
【００２５】
上記横架材１１として一般的なリップ溝型鋼が用いられる構造であると、低コスト化が図れることになる。なお、リップ溝型鋼に限らず、溝鋼或いは角鋼管などを上記横架材１１として用いることも可能である。
【００２６】
上記端部固定具１２の本体枠部１２ａに上記凹部１２ｆが形成されていると、上記凹部１２ｆに上記下側フランジ９５ａの縁が入り込んだ状態で確実な固定が行えるようになる。また、上記吊り棒支持部１３と上記端部固定具１２が共用品とされていると、部品の共用化によるコスト低減が図れる。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２８】
１      吊り支持具
１１    横架材
１２    端部固定具
１２ａ  本体枠部
１２ｂ  板部
１２ｃ  カシメ部材
１２ｄ  螺子孔
１２ｅ  螺子孔
１３    吊り棒支持部
１３ａ  本体枠部
１３ｂ  板部
１３ｃ  カシメ部材
１３ｄ  螺子孔
１３ｅ  螺子孔
【図１】
2015010390.tif 000003
【図２】
2015010390.tif 000004
【図３】
2015010390.tif 000005
【図４】
2015010390.tif 000006
【図５】
2015010390.tif 000007
【図６】
2015010390.tif 000008
【図７】
2015010390.tif 000009